(57)【特許請求の範囲】
【請求項１】
引戸に内蔵した錠箱に対し直線方向のスライド力を入力し、該錠箱に設けたロック部材を引戸枠に対して進退動作させるサムターンであって、
前記錠箱に形成されるスライド穴の裏側から、該スライド穴を塞ぐように摺接配置されてスライド自在に係合し、且つ該スライド穴から前記引戸の一方の面に表出して、前記錠箱に対し前記スライド力を入力するスライド基板と、
該スライド基板に突設され、前記スライド穴から突出する摘み部と、
を有し、
該摘み部は、前記スライド基板のスライド方向に直行する方向の略中央部に、前記スライド方向に横断する掛止解除溝を有して、該掛止解除溝にて分断されて前記スライド基板に突設されるとともに、
スライド方向の両面を前記掛止解除溝に向かって下り勾配となるテーパ面で形成し、該摘み部の厚さとして両端から中央の前記掛止解除溝に向けて薄くなるように形成され、
且つ前記各面の接合部分となる稜線部分が曲面で形成されていることを特徴とするサムターン。
【請求項２】
扉に内蔵した錠箱に対し回転力を入力し、該錠箱に設けたロック部材を扉枠に対して進退動作させるサムターンであって、
前記錠箱に回転自在に取り付けられ且つ前記扉の一方の面に表出して該錠箱に対し前記回転力を入力する摘み部を有し、
該摘み部は、回転中心と同軸の略円柱状基部から直径方向外側に突出する一対の翼板を有し、該両翼板の回転中心方向の略中央部には該両翼板を前後に分断する掛止解除溝を有し、且つ該両翼板の表裏面を前後から該掛止解除溝に向かって両翼板の厚さが薄くなるような下り勾配となるテーパ面でそれぞれ形成されていることを特徴とするサムターン。
【請求項３】
前記摘み部が、突出方向先端に向かって徐々に薄厚となるテーパ形状であることを特徴とする請求項１記載のサムターン。
【請求項４】
前記両翼板が、突出方向先端に向かって徐々に薄厚となるテーパ形状であることを特徴とする請求項２記載のサムターン。
【請求項５】
前記掛止解除溝が、溝開口上部に向かって溝幅を徐々に広げるテーパ形状であることを特徴とする請求項１，２，３，４のいずれか１つに記載のサムターン。
【発明の詳細な説明】
【０００１】
【発明の属する技術分野】
本発明は、引戸や扉などの開閉体に内蔵された錠箱に対しスライドや回転による操作力を入力し、錠箱内に設けたロック部材を建物躯体側の開閉体枠に対して進退動作させるサムターンに関する。
【０００２】
【従来の技術】
従来のシリンダー錠及びサムターン付きの施錠装置は、引戸又は扉などの開閉体に錠箱が内蔵され、錠箱には、開閉体の屋外側に露出するシリンダー錠と、開閉体の屋内側に露出するスライド式又は回転式のサムターンとが設けられている。一般的に、引戸用にはスライド式、扉用には回転式のサムターンが設けられている。
【０００３】
錠箱には、ロック部材である例えばデッドボルトが開閉体の端面（木口）から進退自在に設けられている。
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体（引戸枠又は扉枠）に設けたストライクに対して施解錠が行われるようになっている。
また、屋内側からは、サムターンの摘みがスライド又は回転操作されるのみで、デッドボルトが進退され、開閉体の施解錠が簡便に行われるようになっている。
【０００４】
【発明が解決しようとする課題】
近年、マンションや住宅の玄関扉や引戸等の開閉体、あるいはこれら玄関扉や引戸等の開閉体の近傍における開口枠体（引戸枠又は扉枠）の周囲である壁部分に、高級感や優美性を高める目的で、ガラス板を嵌め込んだ小窓付のものが多用されるようになってきている。
ところが、このような開閉体の小窓や壁部分の小窓では、ガラス板が割られると、外部から、先端を鉤状に曲げた針金を挿入して、サムターンが不正に操作されてしまう虞れがある。
【０００５】
一般的に引戸に多用されるスライド式のサムターンは、屋内側に露出する摘み部が下方に位置する状態が施錠状態であり、この摘み部に針金の鉤状先端を掛止し、これを引き上げることにより不正な解錠操作が可能となる。
また、扉に多用される回転式のサムターンは、屋内側に露出する摘み部の翼体が水平状態である場合に施錠状態であり、この摘み部の翼板に針金の鉤状先端を掛止し、回転モーメントを与えることにより不正な解錠操作が可能となる。
【０００６】
また、これらサムターンは、上記した小窓の無い開閉体においても、針金を挿入する隙間や孔などが開閉体自体或いは壁部分等にあれば、同様に不正解錠される虞れがあった。
【０００７】
本発明は上記状況に鑑みてなされたもので、針金を掛止することによる不正解錠を防止することのできるサムターンを提供し、施錠装置の不正解錠防止機能の向上を図ることを目的とする。
【０００８】
【課題を解決するための手段】
次に、上記の課題を解決するための手段を、実施の形態に対応する図面を参照して説明する。
この発明の請求項１記載のサムターン１は、引戸に内蔵した錠箱７に対し直線方向のスライド力を入力し、該錠箱７に設けたロック部材を引戸枠に対して進退動作させるサムターン１であって、
前記錠箱７に形成されるスライド穴９の裏側から、該スライド穴９を塞ぐように摺接配置されてスライド自在に係合し、且つ該スライド穴９から前記引戸の一方の面に表出して、前記錠箱７に対し前記スライド力を入力するスライド基板３と、
該スライド基板３に突設され、前記スライド穴９から突出する摘み部５と、
を有し、
該摘み部５は、前記スライド基板３のスライド方向に直行する方向の略中央部に、前記スライド方向に横断する掛止解除溝１１を有して、該掛止解除溝１１にて分断されて前記スライド基板３に突設されるとともに、
スライド方向の両面１３，１５を前記掛止解除溝１１に向かって下り勾配となるテーパ面で形成し、該摘み部５の厚さとして両端から中央の前記掛止解除溝１１に向けて薄くなるように形成され、
且つ前記各面の接合部分となる稜線部分が曲面で形成されていることを特徴とする。
【０００９】
このサムターン１では、引戸自体に設けられた小窓や建物躯体側の引戸枠、引戸枠周囲近傍の壁部分に設けられた小窓を割り、或いは引戸と引戸枠の隙間から先端鉤状の針金１７を差し入れることによりサムターン１を不正にスライド操作しようとしても、摘み部５のテーパ面が針金１７の先端を掛止解除溝１１の方向へ滑らせ、最終的に掛止解除溝１１内に導き入れて、摘み部５に対する針金１７の掛止を解除してしまう。これにより、摘み部５に対する針金１７の掛止を不能にして、不正解錠を防止することができる。
【００１０】
請求項２記載のサムターン３１は、扉に内蔵した錠箱に対し回転力を入力し、該錠箱に設けたロック部材を扉枠に対して進退動作させるサムターン３１であって、
前記錠箱に回転自在に取り付けられ且つ前記扉の一方の面に表出して該錠箱に対し前記回転力を入力する摘み部３３を有し、
該摘み部３３は、回転中心３７と同軸の略円柱状基部３５から直径方向外側に突出する一対の翼板３９を有し、該両翼板３９の回転中心方向の略中央部には該両翼板３９を前後に分断する掛止解除溝４１を有し、且つ該両翼板３９の表裏面３８を前後から該掛止解除溝４１に向かって両翼板３９の厚さが薄くなるような下り勾配となるテーパ面でそれぞれ形成されていることを特徴とする。
【００１１】
このサムターンで３１は、扉自体に設けられた小窓や建物躯体側の扉枠、扉枠周囲近傍の壁部分に設けられた小窓を割り、或いは扉と扉枠の隙間から先端鉤状の針金１７を差し入れることによりサムターン３１を不正に回転操作しようとしても、両翼板３９のテーパ面が針金１７の先端を掛止解除溝４１の方向へ滑らせ、最終的に掛止解除溝４１内に導き入れて、摘み部３３に対する針金１７の掛止を解除してしまう。これにより、摘み部３３に対する針金１７の掛止を不能にして、不正解錠を防止することができる。
【００１２】
請求項３記載のサムターン１は、前記摘み部５が、突出方向先端に向かって徐々に薄厚となるテーパ形状であることを特徴とする。
【００１３】
このサムターン１では、摘み部５に掛止しようとした針金１７が仮に掛止解除溝１１の方向へ滑らない場合であっても、針金１７が摘み部５の突出方向先端に向かって滑り、摘み部５の先端から外れることになる。これにより、掛止解除溝１１による掛止の解除と相俟って、二重の掛止解除機能が得られることになる。
【００１４】
請求項４記載のサムターン３１は、前記両翼板３９が、突出方向先端に向かって徐々に薄厚となるテーパ形状であることを特徴とする。
【００１５】
このサムターン３１では、両翼板３９に掛止しようとした針金１７が仮に掛止解除溝４１の方向へ滑らない場合であっても、針金１７が両翼板３９の突出方向先端に向かって滑り、両翼板３９の先端から外れることになる。これにより、掛止解除溝４１による掛止の解除と相俟って、二重の掛止解除機能が得られることになる。
【００１６】
請求項５記載のサムターン１，３１は、前記掛止解除溝１１，４１が、溝開口上部に向かって溝幅を徐々に広げるテーパ形状であることを特徴とする。
【００１７】
このサムターン１，３１では、針金１７を掛止解除溝１１，４１内に入れて、針金先端を摘み部５，３３に掛止する掛止であっても、針金１７が掛止解除溝１１，４１の溝開口上部に向かって滑り、最終的に針金１７が掛止解除溝１１，４１から外れることになる。これにより、掛止解除溝１１，４１に対する針金１７の掛止も不能になる。
【００１８】
【発明の実施の形態】
以下、本発明に係るサムターンの好適な実施の形態を図面を参照して詳細に説明する。
図１は本発明に係る第一の実施の形態によるサムターンの正面図、図２は図１に示した摘み部の拡大斜視図、図３は図１のサムターンを備えた錠箱の部分断面図である。
【００１９】
この第一の実施の形態によるサムターン１は、図示しない引戸に内蔵される施解錠装置に設けられ、スライド基板３と、摘み部５とから大略構成される。
サムターン１は、引戸に内蔵した図３に示す錠箱７に対し直線方向（図３中垂直上下方向）にスライド自在に設けられる。
【００２０】
スライド基板３は、錠箱７の内部に形成された図示しないガイドレールなどによって、スライド自在に係合する。錠箱７は上下方向に長いスライド穴９を有し、このスライド穴９はスライド基板３の一部と摘み部５とを引戸の屋内面に表出させている。
【００２１】
サムターン１は、摘み部５がスライド穴９の上端又は下端に位置した状態においても、スライド基板３が裏側からスライド穴９を塞ぐように摺接し、このスライド穴９より錠箱７内が露出しないようになっている。
【００２２】
サムターン１は、摘み部５に手指を掛けて、図３の下方向へスライドすることで、錠箱７に設けた図示しないロック部材を錠箱７から突出させ、このロック部材を建物躯体側の引戸枠に係止して、引戸を施錠状態とする。
他方、摘み部５に手指を掛けて、図３の上方向へスライドすることで、ロック部材を錠箱７の内部へ後退させて、引戸枠への係止を解除し、引戸を解錠状態とする。
なお、サムターン１のスライド方向と施解錠とはこの逆であってもよい。
【００２３】
図１に示すように、摘み部５は、スライド基板３のスライド方向（図１の上下方向）に直行する方向（図１の左右方向）の略中央部に、スライド方向に横断する掛止解除溝１１を有している。つまり、摘み部５は、この掛止解除溝１１によって左右に分断された構造とされている。
【００２４】
摘み部５は、スライド方向の両面、図１に示す上面１３及び下面１５が、掛止解除溝１１に向かって下り勾配となるテーパ面で形成されている。このテーパ面は、平面からなる傾斜面、又は曲面からなる湾曲面で構成されるもののいずれであってもよい。本実施の形態では、このテーパ面が湾曲面で構成されている。
【００２５】
また、掛止解除溝１１は、図２に示すように、溝開口上部に向かって溝幅を徐々に広げるテーパ形状で形成されている。このテーパ形状も、平面からなる傾斜面、又は曲面からなる湾曲面で構成されるもののいずれであってもよい。本実施の形態では、このテーパ形状が湾曲面で構成されている。
【００２６】
さらに、摘み部５は、スライド基板３に対して垂直な突出方向に向かって先端が徐々に薄厚となるテーパ形状で形成されている。したがって、図１に示す平面視では、裾部の面積より頂面の面積が小さくなっている。
なお、各面の接合部分である稜線部分は、曲面とされるのが好ましい。
【００２７】
次に、この第一の実施の形態のサムターン１の作用を説明する。
図４は図１のサムターンの動作説明図である。
このサムターン１では、例えばスライド穴９の下端側に配置され、施錠状態となった摘み部５に対し、先端鉤状の針金１７を用いて、摘み部５を上方向へスライド操作しようとしても、摘み部５のテーパ面が針金１７の先端を掛止解除溝１１の方向（図４中矢印ａ方向）へ滑らせ、最終的に掛止解除溝１１内に導き入れて、摘み部５に対する針金１７の掛止を解除してしまう。
これにより、摘み部５に対する針金１７の掛止を不能にして、不正解錠を防止することができる。
【００２８】
また、針金１７を掛止解除溝１１内に入れて、針金先端を摘み部５に掛止する掛止であっても、針金１７が掛止解除溝１１の溝開口上部に向かって滑り、最終的に針金１７が掛止解除溝１１から外れることになる。これにより、掛止解除溝１１に対する針金１７の掛止も不能になる。
【００２９】
さらに、摘み部５に掛止しようとした針金１７が仮に掛止解除溝１１の方向へ滑らない場合であっても、針金１７が摘み部５の突出方向（スライド基板３に垂直な方向）先端に向かって滑り、摘み部５の先端から外れることになる。これにより、掛止解除溝１１による掛止の解除と相俟って、二重の掛止解除機能が得られることになる。
【００３０】
なお、上述した実施の形態では、サムターン１のスライド方向を上下方向とした例について説明したが、略水平な左右方向や斜め方向等としても同様の効果を得られる。
【００３１】
次に、本発明に係るサムターンの第二の実施の形態を説明する。
図５は本発明に係る第二の実施の形態によるサムターンの正面図、図６は図５のＡ−Ａ矢視である平面図、図７は図６のＢ−Ｂ矢視である側面図である。
【００３２】
この第二の実施の形態によるサムターン３１は、図示しない扉に内蔵する施解錠装置に設けられる。
サムターン３１は、図示しない施解錠装置を構成する錠箱に回転自在に取り付けられ且つ扉の一方の面である屋内面に表出して錠箱に対し回転力を入力する摘み部３３を有している。
摘み部３３は、扉に内蔵した錠箱に対し回転力を入力し、この錠箱に設けたロック部材を建物躯体側の扉枠に対して進退動作させることで、扉の施解錠を可能にする。
【００３３】
摘み部３３は、回転中心３７と同軸の略円柱状基部３５から直径方向外側にそれぞれ突出する翼板３９，３９を有している。両翼板３９，３９の回転中心３７方向の略中央部には、これら翼板３９，３９を前後（図６の上下）に分断する掛止解除溝４１がそれぞれ形成されている。
【００３４】
両翼板３９，３９の表裏面３８，３８は、掛止解除溝４１に向かって下り勾配となるテーパ面で形成されている。このテーパ面は、平面からなる傾斜面、又は曲面からなる湾曲面で構成されるもののいずれであってもよい。本実施の形態では、このテーパ面が湾曲面で構成されている。
【００３５】
また、掛止解除溝４１は、図６に示すように、溝開口上部に向かって溝幅を徐々に広げるテーパ形状で形成されている。このテーパ形状も、平面からなる傾斜面、又は曲面からなる湾曲面で構成されるもののいずれであってもよい。本実施の形態では、このテーパ形状が平面で構成されている。
【００３６】
さらに、両翼板３９，３９は、突出方向先端に向かって先端が徐々に薄厚となるテーパ形状でそれぞれ形成されている。従って、図５に示すように、摘み部３３は、中央の基部３５の直径方向の厚みＤより、両端部における両翼板３９，３９の先端の厚みｈが薄くなっている。
【００３７】
このように構成したサムターン３１において、上記第一の実施の形態と同様の先端鉤状の針金１７を差し入れることによりサムターン３１を不正に回転操作しようとしても、両翼板３９，３９表裏面３８，３８のテーパ面が針金１７の先端を掛止解除溝４１の方向（図７の矢印ｂ方向）へ滑らせ、最終的に掛止解除溝４１内に導き入れて、両翼板３９，３９に対する針金１７の掛止を解除してしまう。これにより、摘み部３３に対する針金１７の掛止を不能にして、不正解錠を防止することができる。
【００３８】
また、両翼板３９，３９に掛止しようとした針金１７が仮に掛止解除溝４１の方向へ滑らない場合であっても、針金１７が両翼板３９，３９の突出方向先端に向かって滑り、翼板３９の先端から外れることになる。これにより、掛止解除溝４１による掛止の解除と相俟って、二重の掛止解除機能が得られることになる。
【００３９】
【発明の効果】
以上詳細に説明したように、本発明に係る引戸に設けられるサムターンによれば、スライド基板に摘み部を突設し、この摘み部に掛止解除溝を形成し、且つこの摘み部の両面を掛止解除溝に向かって下り勾配となるテーパ面で形成した構成としたので、引戸自体に設けられた小窓や建物躯体側の引戸枠、引戸枠周囲近傍の壁部分に設けられた小窓を割り、或いは引戸と引戸枠の隙間から針金を差し入れることによりサムターンを不正にスライド操作しようとしても、テーパ面が針金の先端を掛止解除溝の方向へ滑らせ、最終的に掛止解除溝内に導き入れて、摘み部に対する針金の掛止を解除してしまう。これにより、摘み部に対する針金の掛止を不能にして、不正解錠を確実に防止することができる。この結果、施錠装置の不正解錠防止機能を向上させることができる。
【００４０】
また、本発明に係る扉に設けられ回転操作にて施解錠を行うサムターンでは、両翼板の回転中心方向の略中央部に両翼板を前後に分断する掛止解除溝を形成し、且つ両翼板の表裏面を掛止解除溝に向かって下り勾配となるテーパ面で形成した摘み部を構成したので、扉自体に設けられた小窓や建物躯体側の扉枠、扉枠周囲近傍の壁部分に設けられた小窓を割り、或いは扉と扉枠の隙間から先端鉤状の針金を差し入れることによりサムターンを不正に回転操作しようとしても、両翼板のテーパ面が針金の先端を掛止解除溝の方向へ滑らせ、最終的に掛止解除溝内に導き入れて、摘み部に対する針金の掛止を解除してしまう。これにより、摘み部に対する針金の掛止を不能にして、不正解錠を防止することが可能となる。
【００４１】
さらに、摘み部が、突出方向先端に向かって徐々に薄厚となるテーパ形状とされる構成とすることで、このサムターンでは、摘み部に掛止しようとした針金が仮に掛止解除溝の方向へ滑らない場合であっても、針金が摘み部の突出方向先端に向かって滑り、摘み部の先端から外れることになる。これにより、上記した掛止解除溝による掛止の解除と相俟って、二重の掛止解除機能が得られることになる。
【００４２】
さらに、掛止解除溝が、溝開口上部に向かって溝幅を徐々に広げるテーパ形状とされる構成とすることで、このサムターンでは、針金を掛止解除溝内に入れて、針金先端を摘み部に掛止する掛止であっても、針金が掛止解除溝の溝開口上部に向かって滑り、最終的に針金が掛止解除溝から外れることになる。これにより、掛止解除溝に対する針金の掛止も不能となり、不正解錠をさらに防止することが可能となる。
【図面の簡単な説明】
【図１】本発明に係る第一の実施形態によるサムターンの正面図である。
【図２】図１に示した摘み部の拡大斜視図である。
【図３】図１のサムターンを備えた錠箱の部分断面図だある。
【図４】図１のサムターンの動作説明図である。
【図５】本発明に係る第二の実施形態によるサムターンの正面図である。
【図６】図５のＡ−Ａ矢視である平面図である。
【図７】図６のＢ−Ｂ矢視である側面図である。
【符号の説明】
１，３１…サムターン
３…スライド基板
５，３３…摘み部
７…錠箱
１１，４１…掛止解除溝
１３，１５…両面（上面，下面）
３５…基部
３７…回転中心
３８…表裏面
３９…翼板
【図１】
0004323731.tif 000002
【図２】
0004323731.tif 000003
【図３】
0004323731.tif 000004
【図４】
0004323731.tif 000005
【図５】
0004323731.tif 000006
【図６】
0004323731.tif 000007
【図７】
0004323731.tif 000008